(57)【要約】本発明は、フェムトセル２００Ａが生成されるとフェムトセル２００ＡのためにＳＡＩを割り当てるための方法に関する。この方法によれば、フェムト基地局２１０Ａまたはフェムトセル２００Ａを識別する情報に加えて、フェムトセル２００Ａを提供するフェムトＲＢＳ２１０Ａによってスキャニングが行われることによって取得された検出されたセルについての情報が受信される。受信された情報に基づくＳＡＩに対する要求は、ＳＡＩ選択エンティティ２５０，４００に送信され、選択エンティティ２５０によって選択されたＳＡＩは、関連するユーザタイプとともに受信される。生成されたフェムトセル２００ＡのためのＩＤがさらに割り当てられる。本発明は、装置１００，３００と選択エンティティ２５０，４００とにも関連する。【選択図】図２
2010520702.tif 000002
【特許請求の範囲】
【請求項１】
フェムト無線基地局であるＲＢＳ（２１０Ａ）によって提供されるフェムトセル（２００Ａ）のための少なくとも一つのサービスエリアＩＤであるＳＡＩを割り当てるための方法であって、前記フェムトセル（２００Ａ）が生成されると、前記フェムトＲＢＳ（２１０Ａ）が無線通信システム（２）に接続され、
−フェムトＲＢＳ（２１０Ａ）によって行われたスキャニングによって取得された、検出されたセルについての情報と、フェムトセル（２００Ａ）および／またはフェムトＲＢＳ（２１０Ａ）を識別する情報とを受信し、
−フェムトセル（２００Ａ）のための少なくとも一つのＳＡＩに対する要求であって、前記受信された情報に基づく要求をフェムトＳＡＩ選択エンティティ（２５０）へ送信し、
−フェムトＳＡＩ選択エンティティ（２５０）によって選択された少なくとも一つのＳＡＩと関連するユーザタイプを受信し、生成されたフェムトセル（２００Ａ）のために前記少なくとも一つのＳＡＩと前記関連するユーザタイプとを割り当てる、
ことを備えることを特徴とする、方法。
【請求項２】
フェムトセル（２００Ａ）のための少なくとも一つのＳＡＩに対する前記要求を送信する前に、フェムトセル（２００Ａ）を識別する情報に基づき、検出されたセルについての前記情報をフィルタリングし、
前記フィルタリングは、
検出されたセルについての情報に含まれる他のフェムトセルを識別する情報をフィルタアウトすることを含む、
請求項１にしたがった方法。
【請求項３】
生成されたフェムトセル（２００Ａ）のためのセル設定コンテキストにおいて前記割り当てられた少なくとも一つのＳＡＩを記憶することをさらに備える、
請求項１または請求項２にしたがった方法。
【請求項４】
少なくとも一つのＳＡＩを受信するステップは、
前記生成されたフェムトセル（２００Ａ）および／または前記生成されたフェムトセル（２００Ａ）の前記フェムトＲＢＳ（２１０Ａ）を識別する情報を受信することをさらに含む、
請求項１〜３のいずれか１項にしたがった方法。
【請求項５】
それぞれの選択されたＳＡＩは、
位置情報とチャージング情報とを示す、
請求項１〜４のいずれか１項にしたがった方法。
【請求項６】
前記位置情報は、
少なくとも一つの検出されたマクロセルのために、少なくともマクロセルのセルＩＤであるＣｅｌｌ−ＩＤとマクロセルに関連するロケーションエリアＩＤであるＬＡＩとマクロセルに関連するルーティングエリアコードであるＲＡＣとを備える、検出されたセルについての情報に基づくものである、
請求項５にしたがった方法。
【請求項７】
前記位置情報は、
フェムトＲＢＳ（２１０Ａ）によって検出された少なくとも一つのマクロセルを備える無線通信ネットワーク（２）のロケーションエリアを示すものである、
請求項６にしたがった方法。
【請求項８】
前記位置情報は、
フェムトＲＢＳ（２１０Ａ）によって検出された、無線通信ネットワーク（２）のマクロセルの一つを示すものである、
請求項６にしたがった方法。
【請求項９】
前記チャージング情報は、
請求金額を備えるものであり、それぞれの金額は、生成されたフェムトセル（２００Ａ）におけるユーザタイプに関連するものである、
請求項５にしたがった方法。
【請求項１０】
それぞれのロケーションエリアのために、請求金額の数と同じ数のサービスエリアＩＤであるＳＡＩを選択し、前記ロケーションエリアにおけるすべての生成されたフェムトセルが前記選択されたＳＡＩを共有するように前記ＳＡＩを割り当てること、をさらに備える、
請求項７または９にしたがった方法。
【請求項１１】
それぞれのマクロセルのために、請求金額の数と同じ数のサービスエリアＩＤであるＳＡＩを選択し、マクロセルにおけるすべての生成されたフェムトセルが前記選択されたＳＡＩを共有するように前記ＳＡＩを割り当てること、をさらに備える、
請求項８または９にしたがった方法。
【請求項１２】
フェムトＲＢＳ（３００）によって提供されるフェムトセル（２００Ａ）のための少なくとも一つのサービスエリアＩＤであるＳＡＩを割り当てるための装置（１００，３００）であって、前記セルが生成されると、前記フェムトＲＢＳ（３００）が無線通信システム（２）に接続され、
−フェムトＲＢＳ（３００）によって行われたスキャニングによって取得された、検出されたセルについての情報と、フェムトセル（２００Ａ）および／またはフェムトＲＢＳ（３００）を識別する情報とを受信するための受信手段（１１０，３１０）と、
−フェムトセル（２００Ａ）のための少なくとも一つのＳＡＩに対する要求であって、前記受信された情報に基づく要求をフェムトＳＡＩ選択エンティティ（２５０，４００）に送信するための送信手段（１２０，３２０）と、
−前記フェムトＳＡＩ選択エンティティ（２５０，４００）によって選択された少なくとも一つのＳＡＩと関連するユーザタイプとを受信するための受信手段（１１０，３１０）と生成されたフェムトセル（２００Ａ）のための前記少なくとも一つのＳＡＩと前記関連するユーザタイプとを割り当てるための手段と、
を備えることを特徴とする、装置。
【請求項１３】
前記送信手段（１２０，３２０）がフェムトセル（２００Ａ）のための少なくとも一つのＳＡＩに対する前記要求を送信する前に、フェムトセル（２００Ａ）を識別する情報に基づき、検出されたセルについての前記情報のフィルタリングを行うフィルタリング手段（１３０，３３０）をさらに備え、
前記フィルタリング手段（１３０，３３０）は、
検出されたセルについての情報に含まれる他のフェムトセルを識別する情報をフィルタアウトするように構成される、
請求項１２にしたがった装置（１００，３００）。
【請求項１４】
生成されたフェムトセル（２００Ａ）のためのセル設定コンテキストにおいて前記割り当てられた少なくとも一つのＳＡＩを記憶するための記憶手段（１４０，３４０）をさらに備える、
請求項１２または請求項１３にしたがった装置（１００，３００）。
【請求項１５】
受信手段（１１０，３１０）は、
前記少なくなくとも一つの選択されたＳＡＩと前記生成されたフェムトセル（２００Ａ）および／または前記生成されたフェムトセル（２００Ａ）の前記フェムトＲＢＳ（３００）を識別する情報とを受信するように構成された、
請求項１２〜１４のいずれか１項にしたがった装置（１００，３００）。
【請求項１６】
それぞれの選択されたＳＡＩは、
位置情報とチャージング情報とを示す、
請求項１２〜１５のいずれか１項にしたがった装置（１００，３００）。
【請求項１７】
前記位置情報は、
少なくとも一つの検出されたマクロセルのために、少なくともマクロセルのセルＩＤであるＣｅｌｌ−ＩＤとマクロセルに関連するロケーションエリアＩＤであるＬＡＩとマクロセルに関連するルーティングエリアコードであるＲＡＣとを備える、検出されたセルについての情報に基づくものである、
請求項１６にしたがった装置（１００，３００）。
【請求項１８】
前記位置情報は、
フェムトＲＢＳによって検出された少なくとも一つのマクロセルを備える無線通信ネットワーク（２）のロケーションエリアを示すものである、
請求項１７にしたがった装置（１００，３００）。
【請求項１９】
前記位置情報は、
フェムトＲＢＳ（３００）によって検出された、無線通信ネットワーク（２）のマクロセルの一つを示すものである、
請求項１７にしたがった装置（１００，３００）。
【請求項２０】
前記チャージング情報は、
請求金額を備えるものであり、それぞれの金額は、生成されたフェムトセル（２００Ａ）におけるユーザタイプに関連するものである、
請求項１６にしたがった装置（１００，３００）。
【請求項２１】
請求金額の数と同じ数の選択されたサービスエリアＩＤであるＳＡＩを割り当てるとともに、ネットワークのロケーションエリアにおけるすべての生成されたフェムトセルにおいて前記ＳＡＩを共有するようにさらに構成される、
請求項１８または請求項２０にしたがった装置（１００，３００）。
【請求項２２】
請求金額の数と同じ数の選択されたサービスエリアＩＤであるＳＡＩを割り当てるとともに、マクロセルにおけるすべての生成されたフェムトセルにおいて前記ＳＡＩを共有するようにさらに構成される、
請求項１９または請求項２０にしたがった装置（１００，３００）。
【請求項２３】
無線通信ネットワーク（２）における無線ネットワークコントロールであるＲＮＣのノード（１００，２４０，１１）を備える、
請求項１２〜２２のいずれか１項にしたがった装置（１００）。
【請求項２４】
無線ネットワークコントロールであるＲＮＣのノード（１００）とフェムト無線基地局であるＲＢＳ（３００）とを備える、
請求項１２〜２２のいずれか１項にしたがった装置（１００，３００）。
【請求項２５】
フェムト無線基地局であるＲＢＳ（３００，２１０Ａ，１０）を備える、
請求項１２〜２２のいずれか１つにしたがった装置（３００）。
【請求項２６】
フェムトＲＢＳ（２１０Ａ）によって提供されるフェムトセル（２００Ａ）のための少なくとも一つのサービスエリアＩＤであるＳＡＩを前記セルが生成されると選択するための選択エンティティ（４００）であって、前記フェムトＲＢＳ（２１０Ａ）は無線通信システム（２）に接続され、
−フェムトセル（２００Ａ）のための少なくとも一つのＳＡＩに対する要求を受信するように構成された受信手段（４１０）と、前記要求はフェムトセル（２００Ａ）および／またはフェムトＲＢＳ（２１０Ａ）を識別する情報とフェムトＲＢＳ（２１０Ａ）によって行われたスキャニングによって取得された検出されたセルについての情報に基づくものであり、
−前記生成されたフェムトセル（２００Ａ）のための少なくとも一つのＳＡＩと関連するユーザタイプとを選択するように構成された選択手段（４２０）と、
−前記少なくとも一つのＳＡＩと前記関連するユーザタイプと前記フェムトセル（２００Ａ）および／または前記フェムトＲＢＳ（２１０Ａ）を識別する情報とを送信するように構成された送信手段（４３０）と、
を備えることを特徴とする、選択エンティティ（４００）。
【請求項２７】
それぞれの選択されたＳＡＩは、
位置情報とチャージング情報とを示す、
請求項２６にしたがった選択エンティティ（４００）。
【請求項２８】
前記位置情報は、
少なくとも一つの検出されたマクロセルのために、少なくともマクロセルのセルＩＤであるＣｅｌｌ−ＩＤとマクロセルに関連するロケーションエリアＩＤであるＬＡＩとマクロセルに関連するルーティングエリアコードであるＲＡＣとを備える検出されたセルについての情報に基づくものである、
請求項２７にしたがった選択エンティティ（４００）。
【請求項２９】
前記位置情報は、
フェムトＲＢＳ（２１０Ａ）によって検出された少なくとも一つのマクロセルを備える無線通信ネットワーク（２）のロケーションエリアを示すものである、
請求項２７にしたがった選択エンティティ（４００）。
【請求項３０】
前記位置情報は、
フェムトＲＢＳ（２１０Ａ）によって検出された、無線通信ネットワーク（２）のマクロセルの一つを示すものである、
請求項２７にしたがった選択エンティティ（４００）。
【請求項３１】
前記チャージング情報は、
請求金額を備えるものであり、それぞれの金額は、生成されたフェムトセル（２００Ａ）におけるユーザタイプに関連するものである、
請求項２６にしたがった選択エンティティ（４００）。
【請求項３２】
請求金額の数と同じ数のサービスエリアＩＤであるＳＡＩを選択するようにさらに構成される、
請求項２９〜３１のいずれか１項にしたがった選択エンティティ（４００）。
【発明の詳細な説明】
【技術分野】
【０００１】
本発明は、一般に無線またはモバイル通信ネットワークシステムの分野に関し、より詳細には、無線通信システムにおけるフェムトセルのためのサービスエリアＩＤを割り当てるための方法および装置に関する。
【背景技術】
【０００２】
無線アクセスネットワークは、電話通信網環境の多様性において重要な要素になってきている。企業向けネットワーク環境は、ラップトップ型コンピュータ（ｌａｐｔｏｐｓ）および／または持ち運びが可能なハンドヘルドの装置を持ち運ぶ従業員や顧客に対してネットワーク資源への便利な無線アクセスを提供している。さらに、ラップトップ型コンピュータ、携帯電話などのような多様な通信装置を操作することが可能な無線アクセスポイントは、ホテルや、電車の駅、空港、レストラン、学校、大学、家などといった公衆環境において広く用いられ、大抵の場合にはインターネットへの高速なアクセスの提供に用いられている。
【０００３】
今日において、電気通信事業や電気通信事業者は、セルラー通信ネットワークシステムによって提供されるサービスエリア（ｃｏｖｅｒａｇｅ  ａｒｅａ）を家や小さなエリアにまでさらに増加させる可能性を研究している。セルラー通信ネットワークシステムの例としては、第３世代（３Ｇ）セルラーネットワークシステムやＷＣＤＭＡ（ｗｉｄｅｂａｎｄ  ｃｏｄｅ  ｄｉｖｉｓｉｏｎ  ｍｕｌｔｉｐｌｅｘｉｎｇ  ａｃｃｅｓｓ）ネットワークとしても知られるＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ）ネットワーク、ＧＳＭ（Ｇｌｏｂａｌ  Ｓｙｓｔｅｍ  ｆｏｒ  Ｍｏｂｉｌｅ  ｔｅｌｅｃｏｍｍｕｎｉｃａｔｉｏｎｓ）ネットワーク、ＧＳＭシステムの基盤を使用するＧＰＲＳ（Ｇｅｎｅｒａｌ  Ｐａｃｋｅｔ  Ｒａｄｉｏ  Ｓｅｒｖｉｃｅ）ネットワークがある。そして、セルラーアクセスネットワークのさらなる二つの例には、ＧＳＭやＧＰＲＳの機能をさらに高めたＥＤＧＥやＥＧＰＲＳがある。ＥＤＧＥは、ＧＳＭの進化のために機能を高めたデータレートに言及するものであり、ＥＧＰＲＳは、機能を高めたＧＰＲＳに言及するものである。
【０００４】
このような研究によれば、制限された数のユーザ（例えば、ユーザ装置（ＵＥ：ｕｓｅｒ  ｅｑｕｉｐｍｅｎｔ））が、「フェムトＲＢＳ」とも呼ばれる小さな無線基地局（ＲＢＳ：ｒａｄｉｏ  ｂａｓｅ  ｓｔａｔｉｏｎｓ）を用いた、例えば、ＷＣＤＭＡや３Ｇによるサービス（ｃｏｖｅｒａｇｅ）の提供を受けることが可能である。「フェムトＲＢＳ」は、何らかのＩＰ対応伝送（ｉｎｔｅｒｎｅｔ  ｐｒｏｔｏｃｏｌ（ＩＰ）ｂａｓｅｄ  ｔｒａｎｓｍｉｓｓｉｏｎ）を用いた３Ｇネットワークの無線ネットワークコントローラ（ＲＮＣ：ｒａｄｉｏ  ｎｅｔｗｏｒｋ  ｃｏｎｔｒｏｌｌｅｒ）に接続されるであろう。
【０００５】
このように提供されるサービスエリアは、「フェムトセル（ｆｅｍｔｏ  ｃｅｌｌ）」と呼ばれ、そのサービスエリアがＰＬＭＮ（ｐｕｂｌｉｃ  ｌａｎｄ  ｍｏｂｉｌｅ  ｎｅｔｗｏｒｋ）のマクロセル（ｍａｃｒｏ  ｃｅｌｌ）のエリアと比較して、相対的に小さいことを示している。フェムトＲＢＳのための他の用語には、「ホームＲＢＳ」および／または「ホーム３Ｇアクセスポイント（Ｈ３ＧＡＰ）」および／または「ホームアクセスポイント（ＨＡＰ）」および／または「ホームノードＢ（ＨＮＢ）」および／またはホームＥ−ＵＴＲＡＮノードＢ（ＨｅＮＢ）が含まれる。ピコセルとして知られる小さなセルは、ビルや街角、飛行機の客室の一角などのような小さなエリアを供給し、大抵はマイクロセルよりも小さく、同様にマクロセルよりも小さいことについて言及できよう。ピコセルは、伝統的にサービスエリアや収容可能数の拡張として提供されるものであり、アクセスコントロールメカニズムを含まない。このことは、ＰＬＭＮのマクロセルにアクセスすることが可能なすべてのユーザが、同じＰＬＭＮのマイクロセルやピコセルに対してもアクセスすることが可能であることを意味している。
【０００６】
ＩＰ対応伝送の代替手段の１つは、（ｘＤＳＬやケーブルなどのような）固定したブロードバンドアクセスを用いてフェムトＲＢＳをＲＮＣに接続するものである。もう１つの代替手段は、モバイルブロードバンドアクセスを用いるものであり、例えば、あるＷｉＭＡＸテクノロジーや、ＨＳＤＰＡ、そしてＨＳＰＡとしても知られる機能が高められたアップリンクなどである。
【０００７】
図１は、Ｈ３ＧＡＰとして機能する１つまたはいくつかのＲＮＣ２０やフェムトＲＢＳ４０を含む従来の構造を用いて構成されたＷＣＤＭＡネットワーク１の一例を示している。しかしながら、ＲＢＳおよびＲＮＣが同じようにたたまれて平らになり、いわゆるフラットな構造（ｆｌａｔ  ａｒｃｈｉｔｅｃｔｕｒｅ）において一つのノード（ｓｉｎｇｌｅ  ｎｏｄｅ）を形成してもよい。図１に示すように、ネットワーク１は、ＲＮＣ２０に接続されたコアネットワーク（ＣＮ）８０を備える。ＲＮＣ２０は、それに接続されるすべての無線基地局、すなわち、マクロＲＢＳ３０やフェムトＲＢＳ４０を制御する。フェムトＲＢＳ４０がフェムトセル４１を受け持つのに対し、マクロＲＢＳ３０がマクロセル３１を受け持つ。図示されているように、各フェムトＲＢＳ４０はその専用フェムトセル４１を受け持つ。既知であるように、ＲＢＳは、典型的には、ＲＢＳによって受け持たれるそれぞれのセルの内部（例えば、センター）に位置するものであるが、明確さのために、図１のマクロＲＢＳ３０やフェムトＲＢＳ４０は、それらのそれぞれのセルに両側矢印によって関連付けられているものとして代わりに示されている。フェムトセル４１の少なくともいくつかは、マクロセル３１によって地理的にオーバーレイまたはオーバーラップされている。
【０００８】
ユーザ装置（ＵＥ）５０は、１つまたはそれよりも多くのセル、もしくは１つまたはそれよりも多くのＲＢＳと無線インタフェースを介して通信を行う。ＵＥ５０は、携帯電話（あるいは「セルラーフォン」）や、モバイル端末を有するラップトップ型コンピュータであることが可能であり、ひいては、例えば、ポータブルの、パケットの、ハンドヘルドの、コンピュータに含まれる、または車載のモバイル装置であることが可能である。モバイル装置は、無線アクセスネットワークを用いて音声および／またはデータをやり取りすることが可能である。ＵＥ５０は、さらに、フェムトＲＢＳ４０を介し、ＩＰ対応伝送ネットワーク６０を通して、無線アクセスネットワークと通信を行うことが可能である。ＩＰ対応伝送ネットワーク６０は、前述したように、（例えば、ｘＤＳＬのような）ブロードバンド固定ＩＰ対応伝送であってもよく、（例えば、ＷｉＭＡＸやＨＳＰＡなどのような）ブロードバンドモバイルＩＰ対応伝送であってもよく、他の適切なＩＰ対応伝送であってもよい。
【０００９】
図１に描かれている無線通信ネットワークシステムにおいて、それぞれのフェムトＲＢＳ４０とＲＮＣ２０との間のインタフェースは、拡張されたＩｕｂインタフェースである「Ｉｕｂ＋」と呼ばれることもでき、「Ｉｕｂ＋」は、大抵、ＩＰ対応伝送ネットワーク６０を越えたＩＰコネクションによって形成されるものである。いくつかの実行では（Ｉｎ  ｓｏｍｅ  ｉｍｐｌｅｍｅｎｔａｔｉｏｎｓ）、Ｉｕｂ＋は、マクロＲＢＳ３０とＲＮＣ２０との間のＩｕｂインタフェースに似ているが、Ｉｕｂ＋インタフェースは、例えば、フェムトＲＢＳ４０の初期電源ＯＮ手順の間に、フェムトＲＢＳ４０のＩＤ（ｉｄｅｎｔｉｔｙ）のような付加的な情報を運搬するように修正されたものである。ＩｕｂインタフェースがＩＰ対応である必要はないことについて言及できるであろう。
【００１０】
また、図１に示されているように、Ｉｕインタフェースは、ＲＮＣ２０とＣＮ８０との間に使用される。なお、フラットな構造においては、何らかのＩｕｂ（＋）インタフェースが存在する必要はない。前述したように、このようなフラットな構造においては、ＲＢＳとＲＮＣとが単一のノード（ｓｉｎｇｌｅ  ｎｏｄｅ）を形成することができるからである。
【００１１】
フェムトセル４１のＵＥ５０のユーザを許可されたものに制限するために、アクセスコントロールの特徴がシステムに実装されている。この方法では、フェムトセルにとどまろうとする（ｃａｍｐ  ｏｎ）いかなるＵＥであっても、そのユーザが許可されたユーザであるかどうかについてチェックされる。フェムトＲＢＳごとに許可されたユーザ（あるいはＵＥ）のＩＭＳＩ（ｉｎｔｅｒｎａｔｉｏｎａｌ  ｓｕｂｓｃｒｉｂｅｒ  ｍｏｂｉｌｅ  ｉｄｅｎｔｉｔｙ）は、データベース７０に記憶される。このデータベース７０は、ＡＣＤＢ（ａｃｃｅｓｓ  ｃｏｎｔｒｏｌ  ｄａｔａｂａｓｅ）として知られ、独立型の（ｓｔａｎｄ−ａｌｏｎｅ）あるいは統合された（ｉｎｔｅｇｒａｔｅｄ）ＲＮＣがアクセスする。この提案は、公開番号ＷＯ２００７／１３６３３９の国際特許出願において述べられている。
【００１２】
ＰＬＭＮのマクロ／マイクロ／ピコセルに基づく従来のＷＣＤＭＡネットワーク（すなわち、フェムトセルを含まないＷＣＤＭＡネットワーク）においては、ＳＡＩ（ｓｅｒｖｉｃｅ  ａｒｅａ  ｉｄｅｎｔｉｆｉｅｒ）は、同一のＬＡ（ｌｏｃａｔｉｏｎ  ａｒｅａ）に属する１つまたはそれよりも多くのセルによって構成されるエリアを識別するために用いられる。このようなエリアは、サービスエリアと呼ばれ、ＵＥの位置をＣＮ（ｃｏｒｅ  ｎｅｔｗｏｒｋ）に示すために用いられることができる。ＵＥのためにシグナリングコネクションが確立されると、その時点におけるセルのＳＡＩが、ＲＮＣによってＣＮに示される。ＣＮは、異なる位置に基づく種々のサービス、すなわち、その時点におけるＵＥの位置に基づくサービスと同様に、ルーティング（ｒｏｕｔｉｎｇ）やチャージング（ｃｈａｒｇｉｎｇ）という目的のためにＳＡＩを用いることができる。そのようなサービスの例としては、次のようなものがある。
−緊急呼び出しルーティング（例えば、正しい緊急センタに呼び出しの経路を決める）
−位置呼び出しサービス（例えば、最も近いタクシーなどに呼び出しの経路を決める）
−法的な傍受（サービスエリアに基づいたＵＥの位置を探すための）
−チャージング指示（例えば、チャージングエリアなど）
【００１３】
ＣＮは、Ｉｕ−インタフェースやＩｕ−インタフェースを越えたいわゆるＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）プロトコルシグナリングにおける標準的な機構（メカニズム）を用いたＵＥのＳＡＩ変更についても同様に通知され得る。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格においては、ＳＡＩは、ＰＬＭＮ−ｉｄ（ＭＣＣ（ｃｏｎｓｉｓｔｉｎｇ  ｏｆ  ａ  ｍｏｂｉｌｅ  ｃｏｕｎｔｒｙ  ｃｏｄｅ）やＭＮＣ（ａ  ｍｏｂｉｌｅ  ｎｅｔｗｏｒｋ  ｃｏｄｅ）、ＬＡＣ（ｔｈｅ  ｌｏｃａｔｉｏｎ  ａｒｅａ  ｃｏｄｅ））とともにＳＡＣ（ｓｅｒｖｉｃｅ  ａｒｅａ  ｃｏｄｅ）によって構成されると定義されている。ＳＡＩは、下記に従って定義されることができる。
ＳＡＩ＝ＰＬＭＮ−ｉｄ｜｜ＬＡＣ｜｜ＳＡＣ
ＬＡＩは、またＰＬＭＮ−ｉｄとＬＡＣとによって構成されると定義され、それゆえにＳＡＩは、同様に下記のように定義されることができる。
ＳＡＩ＝ＬＡＩ｜｜ＳＡＣ
【００１４】
ＳＡＣは、通常、ネットワークの事業者によって定義され、標準的には、Ｏ＆Ｍ（ｏｐｅｒａｔｉｏｎ  ａｎｄ  ｍａｉｎｔｅｎａｎｃｅ）を介してＲＮＣに設定される。ＳＡＩは、さらに、マクロ／マイクロ／ピコセルの位置に依存してマクロ／マイクロ／ピコセルのために設定されるものである。ＳＡＩ値は、さらに、ＣＮにおける関連性のある位置に基づいたサービスがこの情報を用いて作られ得るように無線アクセスネットワークとＣＮとの間において調整される。ＲＮＣは、ＣＮに向けて、その時点におけるマクロ／マイクロ／ピコセルのためのＬＡＩとＳＡＩとの双方を別々に含むものである。ＬＡＩは、ＣＮによって、例えば、移動性マネジメント（ＭＭ  ｐｕｒｐｏｓｅｓ）のために用いられ、ＳＡＩは、例えば、前述したような位置に基づいたサービスのために使用されることができる。
【００１５】
前述したように、ＵＥのためのシグナリングコネクションが確立すると、ネットワークにおけるマクロ／マイクロ／ピコセルのＳＡＩが、ＲＮＣによってＣＮに示される。フェムトセルがネットワークに導入されると、フェムトセルのような、それぞれのセルに対する個々のＳＡＩが、ＲＮＣによって示され、例えば、ＣＮにおける位置情報にマップされる必要がある。手動による（あるいは手動に準じた）設定を用いると、フェムトセルには、１つまたはそれよりも多くのＳＡＩが与えられることができ、これらのＳＡＩのＣＮにおける位置情報に対するマッピングは、ピコ、マイクロおよびマクロセルに関しては類似した手法で行われることが可能である。しかしながら、ＲＮＣとＣＮとの双方において手動による（あるいは手動に準じた）設定をするにしても、莫大な数のフェムトセル、例えば、数百や数千、あるいは数百万のフェムトセルに関する設定は実現可能な解決策であるとはみなされない。フェムトＲＢＳがエンドユーザによって容易に変えさせられ得るため、フェムトセルがエンドユーザによってプラグアンドプレイ方式によって事業者の介在なしにネットワーク内のどこかに生成されることができ、位置を変更することができるのに加えて、特にＳＡＩはネットワークにおいてブロードキャストされないためである。前述したような、莫大な数のフェムトセルを用いたシナリオでは、ＲＮＣは、さらに、すべてのＳＡＩをＣＮに示す必要がある。これは、ＣＮにおける過度の設定負荷につながる。ＣＮは、すべての位置に基づいたサービスに関与するからである。さらに、区別されたチャージングなどといった他のサービスは、前述された、フェムトセルごとに手動で設定された単一のＳＡＩを用いて示されることはできない。換言すると、莫大な数のフェムトセルのための自動による設定が、位置に基づいたサービスや区別されたチャージングなどといった他のサービスをサポートするために要求されている。
【発明の概要】
【発明が解決しようとする課題】
【００１６】
したがって、本発明の目的は、コアネットワークにおける手動設定の必要性を増加させずに、フェムトセルが生成されると、フェムトセルのための少なくとも一つのＳＡＩを動的に、そして自動的に割り当てる方法および装置を提供することによって、前述した欠点の少なくともいくつかをなくすことにある。さらに、割り当てられたＳＡＩによってフェムトセル内のユーザのための位置に基づいたサービスおよび区別されたチャージングをサポートすることを可能にすることにある。
【課題を解決するための手段】
【００１７】
本発明の第一の態様によれば、上に述べた問題は、フェムトセルが生成されるとフェムトＲＢＳによって提供されるフェムトセルのための少なくとも一つのＳＡＩを割り当てる方法によって解決される。この方法は、フェムトＲＢＳによって行われたスキャニングによって取得された、検出されたセルについての情報と、フェムトセルおよび／またはフェムトＲＢＳを識別する情報を受信し、フェムトセルのための少なくとも一つのＳＡＩに対する要求であって、前記受信された情報に基づく要求のフェムトＳＡＩ選択エンティティへ送信し、要求は受信された情報に基づくものであり、フェムトＳＡＩ選択エンティティによって選択された少なくとも一つのＳＡＩと関連するユーザタイプを受信し、生成されたフェムトセルのために少なくとも一つのＳＡＩと関連するユーザタイプとを割り当てる、ことを備えるものである。
【００１８】
本発明の第二の態様によれば、上に述べた問題は、フェムトセルが生成されるとフェムトＲＢＳによって提供されるフェムトセルのための少なくとも一つのＳＡＩを割り当てるための装置によって解決される。その装置は、フェムトＲＢＳによって行われたスキャニングによって取得された、検出されたセルについての情報と、フェムトセルおよび／またはフェムトＲＢＳを識別する情報とを受信するように構成された受信手段と、フェムトセルのための少なくとも一つのＳＡＩに対する要求であって、前記受信された情報に基づく要求をフェムトＳＡＩ選択エンティティに送信するように構成された送信手段と、要求は受信された情報に基づくものであり、フェムトＳＡＩ選択エンティティによって選択された少なくとも一つのＳＡＩと関連するユーザタイプとを受信するための受信手段と生成されたフェムトセルのための少なくとも一つのＳＡＩと関連するユーザタイプとを割り当てるための手段と、を備えるものである。
【００１９】
本発明の第三の態様によれば、上に述べた問題は、フェムトセルが生成されるとフェムトＲＢＳによって提供されるフェムトセルのための少なくとも一つのＳＡＩを選択するように構成された選択エンティティによって解決される。そのエンティティは、フェムトセルのための少なくとも一つのＳＡＩに対する要求を受信するように構成された受信手段と、要求はフェムトセルおよび／またはフェムトＲＢＳを識別する情報とフェムトＲＢＳによって行われたスキャニングによって取得された検出されたセルについての情報に基づくものであり、生成されたフェムトセルのための少なくとも一つのＳＡＩと関連するユーザタイプとを選択するように構成された選択手段と、少なくとも一つのＳＡＩと関連するユーザタイプとフェムトセルおよび／またはフェムトＲＢＳを識別する情報とを送信するように構成された送信手段と、を備えるものである。
【発明の効果】
【００２０】
本発明による利点は、フェムトセルが生成されるとネットワークにおけるフェムトセルのために割り当てられたＳＡＩが、動的に、かつ、自動的に選択され得ることにあり、また、そのネットワークのコアネットワークに対して位置情報とチャージング情報との双方を示し得ることにある。これは、また、コアネットワークにおける手動設定の必要性を軽減する。
【００２１】
以下に、添付図面を参照して本発明がいくつかの実施形態によってより詳細に述べられるであろう。しかしながら、以下に示す図は一例を説明するものにすぎず、述べられているような図で示された実施形態における種々の改良や変更が本特許請求の範囲（クレーム）の範囲内で生み出されてもよい点に注意されたい。
【図面の簡単な説明】
【００２２】
【図１】本発明に用いられ得るフェムト無線基地局を含むＷＣＤＭＡ無線通信ネットワークの一例を示すブロック図である。
【図２】本発明に用いられ得るマクロセルとフェムトセルとを含む無線通信ネットワークの一例を示す他のブロック図である。
【図３】本発明の実施形態におけるメッセージフローを示すシグナリング図を示すものである。
【図４Ａ】本発明の実施形態にしたがった装置を示すものである。
【図４Ｂ】本発明の他の実施形態にしたがった装置を示すものである。
【図５】本発明の実施形態にしたがったフェムトＳＡＩ選択エンティティを示すものである。
【発明を実施するための形態】
【００２３】
以下に述べるように、限定ではなく説明の目的のために、本発明の徹底した細部まで丁寧な理解を与えるため、特別な構造、シナリオ、技術などといった具体的な詳細が説明される。しかしながら、これらの具体的な詳細から外れた他の実施形態において本発明および本発明に係る実施形態が実施され得ることは、当業者から明らかであろう。
【００２４】
本発明は、詳細なシナリオ例を参照する方法でここに述べられる。特に、本発明は、無線ネットワークコントロールノードに接続されたフェムト無線基地局を含むＷＣＤＭＡ無線通信ネットワークに関して制限されない一般的なコンテキストで述べられる。無線ネットワークコントロールノードは、すなわち、図１に示されるような従来の構造における固定したＩＰ対応ブロードバンドアクセスネットワークを介したＷＣＤＭＡ無線ネットワークのＲＮＣ（ｒａｄｉｏ  ｎｅｔｗｏｒｋ  ｃｏｎｔｒｏｌｌｅｒ）である。なお、本発明およびその例としての実施形態は、同様に他のタイプの無線技術と、例えば、ＷＣＤＭＡ、ＧＳＭ、ＬＴＥ（ｌｏｎｇ  ｔｅｒｍ  ｅｖｏｌｕｔｉｏｎ）、ＷｉＭＡＸなどのためのフラットな構造などの無線構造とに対しても適用され得る。
【００２５】
図２には、無線通信システム２の一例におけるフェムトセルすなわち２００Ａ−２００ＤとマクロセルＣＥＬＬ１−ＣＥＬＬ４との関係が示されている。ネットワークにおけるマクロセルの位置とフェムトセルの位置との主な違いは、マクロセルＣＥＬＬ１−ＣＥＬＬ４の位置がネットワークの事業者によって把握されて設計されているのに対して、フェムトセル２００Ａ−２００ＤがエンドユーザやフェムトＲＢＳ２１０Ａ−２１０Ｄの所有者によっていかなる場所にも動的に導入され得ることであり、大抵の場合には、いかなる事業者の介在もない。なお、無線通信システム２は、マクロセル、フェムトセルおよびフェムトＲＢＳの任意の特定数に制限されない。さらに、図２は、４つの異なるセルを制御する一つのマクロＲＢＳ２２０のみを示しているが、マクロＲＢＳの任意の数が無線システム２に含まれ得ることは明らかである。一例として、それぞれのマクロセルは、自身のマクロＲＢＳによって制御され得る。したがって、図２に描かれたシナリオは、本発明の異なった例の実施形態に用いられ得る無線ネットワークの一例として考えられる。図２は、このシナリオ例ではＲＮＣ（ｒａｄｉｏ  ｎｅｔｗｏｒｋ  ｃｏｎｔｒｏｌ  ｎｏｄｅ）２４０を表す装置２４０をも描いている。ＲＮＣ２４０は、ＣＮ（ｃｏｒｅ  ｎｅｔｗｏｒｋ）２６０とＦＳＳＥ（ｆｅｍｔｏ  ＳＡＩ  ｓｅｌｅｃｔｉｏｎ  ｅｎｔｉｔｙ）２５０とにさらに接続されている。したがって、フェムトＲＢＳ２１０Ａ−２１０Ｄは、ＩＰ対応伝送ネットワーク２３０を介してＲＮＣ２４０および／またはＦＳＳＥ２５０と通信を行うことができる。ＩＰ対応伝送ネットワーク２３０は、前述したように、ブロードバンド固定ＩＰ対応伝送（例えば、ｘＤＳＬなど）や、ブロードバンドモバイルＩＰ対応伝送（例えば、ＷｉＭＡＸ、ＨＳＰＡなど）、あらゆる他の適切なＩＰ対応伝送のいずれかを表現し得る。
【００２６】
以下には、本発明の実施形態とともに、フェムトセル２００Ａが生成されると、どのようにして少なくとも一つのＳＡＩがフェムトセル、すなわち２００Ａに割り当てられるかについて述べられる。フェムトセル２００Ａは、フェムトＲＢＳ、すなわち２１０Ａによって供給される。フェムトＲＢＳ２１０Ａが起動され、フェムトセル２００Ａが生成されるとき、フェムトＲＢＳ２１０Ａの内蔵無線受信機が環境のスキャニングを開始する。環境のスキャニングの遂行は、例えば、それぞれの識別されたセル（すなわちマクロセルとフェムトセルの特性）のための周波数（ｆｒｅｑｕｅｎｃｉｅｓ）、スクランブル用コード（ｓｃｒａｍｂｌｉｎｇ  ｃｏｄｅｓ）、セルＩＤ（ｃｅｌｌ  ｉｄｅｎｔｉｔｉｅｓ）、システム情報（ｓｙｓｔｅｍ  ｉｎｆｏｒｍａｔｉｏｎ）、測定情報（ｍｅａｓｕｒｅｍｅｎｔ  ｉｎｆｏｒｍａｔｉｏｎ）などである。その環境においてブロードキャストされるシステム情報は、１つまたはそれよりも多くのセルＩＤ（Ｃｅｌｌ−ＩＤ）や、１つまたはいくつかのＬＡＩ（ｌｏｃａｔｉｏｎ  ａｒｅａ  ｉｄｅｎｔｉｆｉｅｒ）、１つまたはいくつかのＲＡＣ（ｒｏｕｔｉｎｇ  ａｒｅａ  ｃｏｄｅｓ）を含む。システム情報は、大抵の場合には、その環境におけるマクロセルに関連する。システム情報におけるそれぞれのＬＡＩは、検出されたマクロセルを制御するノードを識別する。そのようなノードは、例えば、ＣＮ２６０におけるＭＳＣ（ｍｏｂｉｌｅ  ｓｗｉｔｃｈｉｎｇ  ｃｅｎｔｒｅ）であることができる。ＬＡＩは、ＲＡＣとともにＲＡＩ（ｒｏｕｔｉｎｇ  ａｒｅａ  ｉｄｅｎｔｉｔｙ）を構築する。ＲＡＩは、例えば、ＣＮ２６０においてマクロセルを制御するＳＧＳＮ（ｓｅｒｖｉｎｇ  ＧＰＲＳ  ｓｕｐｐｏｒｔ  ｎｏｄｅ）を識別するために用いられることができる。
【００２７】
図２に戻り、フェムトＲＢＳ２１０Ａがネットワーク２における検出されたセルについての情報を取得すると、フェムトＲＢＳ２１０ＡはＲＮＣ２４０に接続する。フェムトＲＢＳ２１０Ａは、フェムトＲＢＳ２１０Ａを識別する情報または／およびフェムトセル２００Ａを識別する情報に加えて、スキャンされた情報をＲＮＣ２４０に報告する。このシナリオ例では、フェムトＲＢＳ２１０Ａは、例えば、ＣＥＬＬ１、ＣＥＬＬ２およびフェムトセル２００Ｂを検出してもよい。本発明の実施形態によれば、ＲＮＣ２４０によって受信された情報は、検出されたフェムトセルに関するすべての情報が除かれることができるようにフィルタをかけられる。ＲＮＣ２４０は、例えば、受信されたセルＩＤやスクランブル用コードを用いてフィルタリングを行うことができる。一例としては、特定のスクランブル用コードがフェムトセルのために用意されて割り当てられる場合もある。また、ＲＮＣ２４０が、どのセルＩＤがフェムトセルのために用いられるかについて知っている場合もある。したがって、本発明は、いかなる特別なフィルタリングアプローチにも限定されるものではない。それゆえ、ＲＮＣ２４０は、前述したように、フェムトセル２００Ｂを識別する情報をフィルタアウトする。その後、ＲＮＣ２４０は、少なくとも１つのＳＡＩに対する要求をＦＳＳＥ２５０に送信する。その要求には、フェムトＲＢＳ２１０Ｂによって検出されたマクロセルＣＥＬＬ１、ＣＥＬＬ２を識別する情報が含まれている。ＦＳＳＥ２５０への要求に、ＲＮＣ２４０は、さらにフェムトＲＢＳ２１０Ａおよび／またはフェムトセル２００Ａを識別する情報を含めることで、ＦＳＳＥ２５０は、その応答と意図されたフェムトＲＢＳ／フェムトセルとを関連付けることができる。フェムトＲＢＳを識別する情報は、例えば、フェムトＲＢＳに固有のハードウェアＩＤ（ＦＲＢＳ−ＩＤ）を含むこととしてもよい。フェムトセルを識別する情報は、例えば、同様にフェムトセルに固有とみなされるフェムトセルＩＤ（ＦＣＥＬＬ−ＩＤ）を含むこととしてもよい。
【００２８】
本発明の実施形態によれば、ＦＳＳＥ２５０がＲＮＣ２４０から要求を受信すると、それは、生成されたフェムトセル２００Ａのために少なくとも１つのＳＡＩを選択する。本発明の実施形態によれば、サービスエリアＩＤ（ｓｅｒｖｉｃｅ  ａｒｅａ  ｉｄｅｎｔｉｆｉｅｒｓ）がＦＳＳＥ２５０において事前に設定されることができる。一例として、ＦＳＳＥ２５０は、無線ネットワークにおいて用いられるＳＡＩに関する知識を事前に有することとしてもよいし、また、特別なＲＮＣが接続されたＣＮノード（例えば、ＭＳＣ、ＳＧＳＮなど）に関する知識を有することとしてもよい。ＦＳＳＥ２５０は、さらに、それぞれのフェムトセルと異なるユーザタイプとに対する請求金額（ｃｈａｒｇｉｎｇ  ｔａｒｉｆｆｓ）の必要数を用いて事前に構築されることとしてもよい。ユーザタイプは、例えば、ユーザがホームユーザ、訪問ユーザ（ｖｉｓｉｔｉｎｇ  ｕｓｅｒ）、ローミングユーザ（ｒｏａｍｉｎｇ  ｕｓｅｒ）、または任意の他のユーザのタイプであるかを示すものであってもよい。ＦＳＳＥ２５０は、さらに、新たなＳＡＩを生成することとしてもよい。ここでは、訪問ユーザがフェムトＲＢＳの加入者／所有者によってフェムトＲＢＳを用いることを許可されたユーザであるとみなされ、事業者ネットワークにおける加入者であるのに対して、ホームユーザは、このコンテキストでは、フェムトＲＢＳの加入者／所有者を参照する。ローミングユーザは、フェムトＲＢＳの加入者／所有者によってフェムトＲＢＳを用いることを許可されたユーザであるとみなされるが、事業者ネットワークにおける加入者ではない。本発明は、前述したユーザタイプに限定されるものではないことに留意すべきである。
【００２９】
前述した実施形態によれば、ＦＳＳＥ２５０は、ＲＮＣ２４０から受信された情報を使用する。ＲＮＣ２４０から受信された情報は、すなわち、ＣＥＬＬ１およびＣＥＬＬ２を識別する情報や生成されるセルのために関連性のあるＳＡＩを選択するために事前に構築された情報である。本発明の実施形態によれば、選択されたＳＡＩは、位置情報（ｌｏｃａｔｉｏｎ  ｉｎｆｏｒｍａｔｉｏｎ）とチャージング情報（ｃｈａｒｇｉｎｇ  ｉｎｆｏｒｍａｔｉｏｎ）を示すものである。チャージング情報は、請求金額（ｃｈａｒｇｉｎｇ  ｔａｒｉｆｆｓ）を含み、それぞれの金額は、生成されたフェムトセル２００Ａにおけるユーザのタイプに関連する。位置情報は、他方では、検出された、この例では、セルＣＥＬＬ１やセルＣＥＬＬ２である、セルに関する情報に基づく。一例として、ＣＥＬＬ１の例としては、セルＩＤ、すなわちＣＥＬＬ１、ＬＡＩ１などのＣＥＬＬ１に関連して識別される位置およびＲＡＣ１などのＣＥＬＬ１に関連するルーティングエリアコード（ｒｏｕｔｉｎｇ  ａｒｅａ  ｃｏｄｅ）を含む情報である。ＣＥＬＬ２の例としては、ＣＥＬＬ２、ＬＡ２およびＲＡＣ２を含む情報である。この情報は、環境のスキャニングの間にフェムトＲＢＳ２１０によって受信された、ブロードキャストされたシステム情報から検索される。ＣＥＬＬ１とＣＥＬＬ２とは、同一のロケーションエリア（すなわち、ＬＡ１＝ＬＡ２）に属してもよいことに留意すべきである。
【００３０】
本発明の実施形態によれば、位置情報が、検出されたセルＣＥＬＬ１およびセルＣＥＬＬ２を備える無線ネットワーク２を示す場合には、ネットワーク２におけるそれぞれのロケーションエリア、すなわちＬＡ１およびＬＡ２のために、ＦＳＳＥ２５０は、請求金額の数と同じ数のＳＡＩを選択する。例えば、請求金額が、ホームユーザのための請求金額、訪問ユーザのための請求金額およびローミングユーザのための請求金額に相当する場合には、ＦＳＳＥ２５０は、ＬＡ１のために３つのＳＡＩを選択し、ＬＡ２のために３つのＳＡＩを選択する。これは、ＬＡ１において導入されて生成されたすべてのフェムトセルが、選択された３つのＳＡＩを共有することができることを意味する。なお、請求金額の数はどのような値をとることもできる。
【００３１】
異なるロケーションエリア間におけるチャージングを区別するために、それぞれの請求金額はネットワークに存在するロケーションエリアと同数のＳＡＩを用いて識別されることができる。
【００３２】
一例として、我々は、ＳＡＩのＬＡＩ部分を用いて（ＳＡＩは、ＳＡＩ＝ＬＡＩ｜｜ＳＡＣとして定義されることを思い出されたい）マクロネットワークＬＡなどを示すことができ、そして異なる請求金額のための３つの異なるＳＡＣ値を用いることができる。これは、この実施形態において、同一のＳＡＣ値がそれぞれのフェムト請求金額のために使用されることができ、例えばＳＡＣ値１０２３４、がホームユーザに相当する請求金額を示すように定義されることができ、ＳＡＩのＬＡＩ部分のみが、生成されたフェムトセルの位置を示すように変更することができることを意味している。これにより、ネットワークにおいて、より容易な構築が可能になる。前述した本発明の実施形態によれば、ＦＳＳＥ２５０は、このようにＬＡ１のために以下に示すようなＳＡＩ群、すなわちＳＡＩＨ１、ＳＡＩＶ１、ＳＡＩＲ１を選択することができるので、ＬＡ１において生成されたすべてのフェムトセルは、選択されたＳＡＩを共有することができる。ＳＡＩＨ１は、ホームユーザタイプのためのＳＡＩを示し、ＳＡＩＶ１は、訪問ユーザタイプのためのＳＡＩを示し、ＳＡＩＲ１は、ローミングユーザタイプのためのＳＡＩを示すものである。本発明の実施形態は、フェムトセル内の一人のホームユーザ、一人の訪問ユーザあるいは一人のローミングユーザに限定されるものではないことに留意されたい。
【００３３】
本発明の他の実施形態によれば、位置情報がネットワークのマクロセル、すなわちＣＥＬＬ１あるいはＣＥＬＬ２の一つを示す場合には、それぞれのセルのために、３つのＳＡＩがＦＳＳＥ２５０によって選択されることができる。これは、ＣＥＬＬ１において導入されて生成されたすべてのフェムトセルが選択された３つのＳＡＩを共有できることを意味している。請求金額の数はどのような値をとることもできることに留意されたい。したがって、マクロセル間におけるチャージングを区別するために、それぞれの請求金額はネットワークに存在するマクロセルと同数のＳＡＩを用いて識別されることができる。
【００３４】
図２に戻り、ＦＳＳＥ２５０が、関連性のあるＳＡＩとそれぞれのＳＡＩに対して関連性のあるユーザタイプを選択すると、それは、生成されたフェムトセル２００ＡあるいはフェムトＲＢＳ２１０Ａを識別する情報とともに、これらをＲＮＣ２４０に返却する。ＲＮＣ２４０は、その後、生成されたフェムトセル２００ＡのためにＳＡＩと関連するユーザタイプとを割り当てる。本発明の実施形態によれば、ＲＮＣ２４０は、また、生成されたフェムトセル２００Ａのために、セル設定コンテキストにおいて、受信されたＳＡＩを記憶するように構成されており、位置に基づいたサービスと区別されたチャージングとを、生成されたフェムトセルにアクセスするユーザ装置に提供することができる。区別されたチャージングは、ユーザ装置のユーザタイプ、すなわち、ユーザタイプがホームユーザ、訪問ユーザ、ローミングユーザあるいは何らかの他のタイプであるかどうかに基づくものである。
【００３５】
ＦＳＳＥ２５０が、さらに、生成されたフェムトセルのために選択されたＳＡＩを用いて自動的にＣＮ２６０を設定するように構成されることとしてもよいことに留意すべきである。これは、図２におけるＦＳＳＥ２５０とＣＮ２６０との間の破線によって示されている。したがって、ＣＮ２６０は、マクロセルのためのＳＡＩとフェムトセルのためのＳＡＩとを用いて設定されることとしてもよい。
【００３６】
図３を参照すると、図２とともに前述されたように、フェムトセルのための少なくとも一つのＳＡＩを割り当てる方法を要約するメッセージフローを示すシグナリングダイアグラムが示されている。
【００３７】
（１）では、フェムトＲＢＳ１０が起動され、フェムトＲＢＳ１０によって与えられたフェムトセルがこのように生成されようとする。その後、周囲の適用領域（ｓｕｒｒｏｕｎｄｉｎｇ  ｃｏｖｅｒａｇｅ）のスキャニングが行われて、例えば、それぞれの識別されたセル（すなわちマクロセルとフェムトセルの特性）のための周波数（ｆｒｅｑｕｅｎｃｉｅｓ）、スクランブル用コード（ｓｃｒａｍｂｌｉｎｇ  ｃｏｄｅｓ）、ネットワークにおけるマクロセルとフェムトセルとのセルＩＤ（ｃｅｌｌ  ｉｄｅｎｔｉｔｉｅｓ）、システム情報（ｓｙｓｔｅｍ  ｉｎｆｏｒｍａｔｉｏｎ）、測定情報（ｍｅａｓｕｒｅｍｅｎｔ  ｉｎｆｏｒｍａｔｉｏｎ）などが検出される。スキャニングが完了すると、（２）では、フェムトＲＢＳ１０がＲＮＣ１１に接続する。（３）では、フェムトＲＢＳ１０は、（１）におけるスキャニング動作で取得された情報を報告する。このような情報は、検出されたセルを含むものである。（３）では、フェムトＲＢＳ１０は、また、フェムトＲＢＳ１０を識別する情報、すなわちＦＲＢＳ−ＩＤをＲＮＣ１１に報告する。その後、ＲＮＣ１１は、フェムトＲＢＳ１０によって報告された、他のフェムトセルを識別する情報を除くこととしてもよい。すなわち、ＲＮＣ１１は、フィルタリングを行うこととしてもよい。（４）では、ＲＮＣ１１は、少なくとも一つのＳＡＩに対する要求をＦＳＳＥ１２に送信する。その時点において生成されたフェムトセルのＦＲＢＳ−ＩＤに加えて、検出されたマクロセルに関する情報がその要求に含まれる。（５）では、ＦＳＳＥ１２は、受信された情報と事前に設定された情報とを用いて、前述したように、フェムトセルのための関連するＳＡＩと関連するユーザタイプとを選択する。このステップは、また新たなＳＡＩが生成されることができ、この場合には、ＣＮ（図示せず）は、また、選択されたＳＡＩを用いて自動的に設定されることができることを意味するかもしれない。（６）では、フェムトＲＢＳ１０を識別する情報、すなわちＦＲＢＳ−ＩＤとともに、選択されたＳＡＩとそれぞれのＳＡＩのための関連するユーザタイプとがＲＮＣ１１に返却される。続いて（７）では、ＲＮＣ１１は、生成されたフェムトセルのためのフェムトセル設定コンテキストにおいて、受信されたＳＡＩと関連するユーザタイプとを記憶する。ＳＡＩは、一つあるいはいくつかのユーザ装置がフェムトセルにアクセスすると、後に使用され得る。前述したように、どのＳＡＩがユーザによって用いられるかは、フェムトセルにアクセスするユーザ、すなわち、ユーザがホームユーザ、訪問ユーザあるいはローミングユーザなどであるかどうかと関連する請求金額に依存する。
【００３８】
従来の技術を用いて構築されたＷＣＤＭＡネットワークにおける実施形態について述べたが、本発明およびその異なる実施形態例は、ＷＣＤＭＡフラット構造（ＷＣＤＭＡ  ｆｌａｔ  ａｒｃｈｉｔｅｃｔｕｒｅ）や、ＬＴＥ、ＧＳＭ、ＷｉＭＡＸネットワークなどといった、他のタイプの無線技術や無線構造にも同様に適用することができる。また、ＲＮＣの代わりに、ＲＮＣおよび／またはフェムトＲＢＳの機能性を含むように構成された装置も検討すべきである（例えば、ＬＴＥの場合および／またはＷＣＤＭＡフラット構造の場合など）。その装置がフェムトＲＢＳを備える場合、もしくは、その装置がフェムトＲＢＳである場合には、それはスキャニングを行い、スキャンされた情報をＦＳＳＥに直接送信することができる。加えて、そのような装置は、また、前述したように、フィルタリングを行うように構成される。
【００３９】
図４Ａは、本発明の実施形態にしたがって、フェムトセルのために少なくとも一つのＳＡＩを割り当てる装置１００の一例を示すものである。図示されているように、装置１００は、この本発明の実施形態において、無線ネットワークコントロールノードを備え、ネットワークにおいて検出されたセルについての情報とフェムトセル／フェムトＲＢＳを識別する情報とを受信するための受信手段１１０（ＲＸ手段）を含むものである。装置１００は、さらに、少なくとも一つのＳＡＩと関連するユーザタイプとのための要求を、生成されたフェムトセルのために、ＦＳＳＥに送信するための送信手段１２０（ＴＸ手段）を備えるものである。装置１００の受信手段１１０は、さらに、選択されたＳＡＩと関連するユーザタイプとを受信するように構成され、これらを生成されたフェムトセルのために割り当てるように構成される。装置１００は、さらに、スキャンされた情報に含まれる可能性がある他のフェムトセルを識別する情報をフィルタにかけるためのフィルタリング手段１３０（フィルタ）を備えるものである。装置１００は、さらに、生成されたフェムトセルのための設定コンテキストにおいて、ＦＳＳＥから受信された情報を記憶するように構成された記憶手段１４０（記憶手段）を備えるものである。
【００４０】
図４Ｂは、本発明の他の実施形態にしたがって、フェムトセルのために少なくとも一つのＳＡＩを割り当てるための他の装置３００を示すものである。この実施形態においては、装置３００は、フェムトＲＢＳまたは無線ネットワークコントロールノードとフェムトＲＢＳとを備える。示されるように、装置３００は、ネットワークにおいてスキャンされた検出されたセルに関する情報を受信（ｒｅｃｅｉｖｅ）／取得（ｏｂｔａｉｎ）するために、そして、フェムトセル／フェムトＲＢＳを識別する情報を取得するために、スキャンを行うための受信手段３１０（ＲＸ手段）を備えるものである。装置３００は、さらに、少なくとも一つのＳＡＩと関連するユーザタイプとに対する要求を、生成されたフェムトセルのために、ＦＳＳＥに送信するための送信手段３２０（ＴＸ手段）を備えるものである。装置３００の受信手段３１０は、さらに、選択されたＳＡＩと関連するユーザタイプとを受信するように構成され、これらを生成されたフェムトセルのために割り当てるように構成される。装置３００は、さらに、スキャンされた情報に含まれる可能性がある他のフェムトセルを識別する情報をフィルタにかけるためのフィルタリング手段３３０（フィルタ）を備えるものである。装置３００は、さらに、生成されたフェムトセルのための設定コンテキストにおいて、ＦＳＳＥから受信された情報を記憶するように構成された記憶手段３４０（記憶手段）を備えるものである。装置１００と３００とは、図４Ａと図４Ｂとにそれぞれ示されていない他の要素を備えることに留意されたい。さらに、装置１００と３００とにおける異なるブロックは、必ずしも分離されておらず、一つのブロックに含まれることとしてもよい。
【００４１】
図５は、本発明の実施形態にしたがって、フェムトセルが生成されると、フェムトＲＢＳによって提供されるフェムトセルのための少なくとも一つのＳＡＩを選択するためのＦＳＳＥ（ｆｅｍｔｏ  ＳＡＩ  ｓｅｌｅｃｔｉｏｎ  ｅｎｔｉｔｙ）４００の一例を示すものである。ＦＳＳＥ４００は、フェムトセルのための少なくとも一つのＳＡＩに対する要求を受信するように構成された受信手段（ＲＸ手段）４１０を備えるものである。その要求は、フェムトセルを識別する情報および／またはフェムトＲＢＳとフェムトＲＢＳによって行われたスキャニングによって取得された検出されたセルを識別する情報に基づくものである。ＦＳＳＥ４００は、さらに、生成されたフェムトセルのために少なくとも一つのＳＡＩと関連するユーザタイプとを選択するように構成された選択手段（選択手段）４２０を備えるものである。ＦＳＳＥ４００は、さらに、選択されたＳＡＩと関連するユーザタイプとを送信するための送信手段（ＴＸ手段）４３０を備えるものである。送信手段４３０は、また、フェムトセルおよび／またはフェムトＲＢＳを識別する情報を送信するように構成される。ＦＳＳＥ４００は、図５に示されていない他の要素を備えることとしてもよいことに再び留意されたい。一例として、ＦＳＳＥ４００は、前述したような選択された／必要とされるＳＡＩを有するコアネットワークの設定を行うための設定手段を備えることとしてもよい。さらに、装置４００における異なるブロックは、必ずしも分離されておらず、一つのブロックに含まれることとしてもよいことにも留意されたい。
【００４２】
本発明とその実施形態は、様々な方法によって実現されることが可能である。例えば、本発明の一実施形態は、フェムトセルが生成されるとフェムトセルのための少なくとも一つのＳＡＩを割り当てる／選択するために、通信システムの一つまたはいくつかのネットワークノード（装置、ＦＳＳＥ）に配置されるコンピュータシステムによって実行可能な命令が記録されているコンピュータが読み取り可能な媒体を含むものである。コンピュータが読み取り可能な媒体に記憶され、コンピューティングシステムによって実行可能な命令は、特許請求の範囲（クレーム）に記載された本発明の方法ステップを行う。
【００４３】
本発明がいくつかの好適な実施形態の観点から述べられてきたが、それらの代替案、変更、置換および等価なものについて表されていることは、明細書を読み、図面を調査した当業者にとって明らかであろう。したがって、次に添付されている特許請求の範囲（クレーム）は、そのような代替案、変更、置換および等価なものについても本発明の範囲内に収まるものとして包含することが意図される。
【図１】
2010520702.tif 000003
【図２】
2010520702.tif 000004
【図３】
2010520702.tif 000005
【図４Ａ】
2010520702.tif 000006
【図４Ｂ】
2010520702.tif 000007
【図５】
2010520702.tif 000008
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
フェムト無線基地局であるＲＢＳ（２１０Ａ）によって提供されるフェムトセル（２００Ａ）のための少なくとも一つのサービスエリア識別情報であるＳＡＩを割り当てるための方法であって、前記フェムトセル（２００Ａ）が生成されると、前記フェムトＲＢＳ（２１０Ａ）が無線通信システム（２）に接続され、
−フェムトＲＢＳ（２１０Ａ）によって行われたスキャニングによって取得された検出されたセルについての情報と、フェムトセル（２００Ａ）および／またはフェムトＲＢＳ（２１０Ａ）を識別する情報との受信と、
−フェムトセル（２００Ａ）のための少なくとも一つのＳＡＩに対する要求のフェムトＳＡＩ選択エンティティ（２５０）への送信と、前記要求は前記受信された情報に基づくものであり、
−フェムトＳＡＩ選択エンティティ（２５０）によって選択された少なくとも一つのＳＡＩと関連するユーザタイプとの受信と生成されたフェムトセル（２００Ａ）のための前記少なくとも一つのＳＡＩと関連するユーザタイプとの割り当てと、
を備えることを特徴とする、方法。
【請求項２】
フェムトセル（２００Ａ）のための少なくとも一つのＳＡＩに対する要求を送信する前の、フェムトセル（２００Ａ）を識別する情報に基づいた検出されたセルについての情報へのフィルタリングをさらに備え、
前記フィルタリングは、
検出されたセルについての情報に含まれる他のフェムトセルを識別する情報のフィルタアウトを備える、
請求項１にしたがった方法。
【請求項３】
生成されたフェムトセル（２００Ａ）のためのセル設定コンテキストにおいて前記割り当てられた少なくとも一つのＳＡＩの記憶をさらに備える、
請求項１または請求項２にしたがった方法。
【請求項４】
少なくとも一つのＳＡＩを受信するステップは、
生成されたフェムトセル（２００Ａ）および／または生成されたフェムトセル（２００Ａ）のフェムトＲＢＳ（２１０Ａ）を識別する情報の受信をさらに含む、
請求項１〜３のいずれか１つにしたがった方法。
【請求項５】
それぞれの選択されたＳＡＩは、
位置情報とチャージング情報とを示す、
請求項１〜４のいずれか１つにしたがった方法。
【請求項６】
前記位置情報は、
少なくとも一つの検出されたマクロセルのために、少なくともマクロセルのセル識別情報であるＣｅｌｌ−ＩＤとマクロセルに関連するロケーションエリア識別情報であるＬＡＩとマクロセルに関連するルーティングエリアコードであるＲＡＣとを備える検出されたセルについての情報に基づくものである、
請求項５にしたがった方法。
【請求項７】
位置情報は、
フェムトＲＢＳ（２１０Ａ）によって検出された少なくとも一つのマクロセルを備える無線通信ネットワーク（２）のロケーションエリアを示すものである、
請求項６にしたがった方法。
【請求項８】
位置情報は、
フェムトＲＢＳ（２１０Ａ）によって検出された、無線通信ネットワーク（２）のマクロセルの一つを示すものである、
請求項６にしたがった方法。
【請求項９】
前記チャージング情報は、
請求金額を備えるものであり、それぞれの金額は、生成されたフェムトセル（２００Ａ）におけるユーザタイプに関連するものである、
請求項５にしたがった方法。
【請求項１０】
フェムトＲＢＳ（３００）によって提供されるフェムトセル（２００Ａ）のための少なくとも一つのサービスエリア識別情報であるＳＡＩを割り当てるための装置（１００，３００）であって、前記セルが生成されると、前記フェムトＲＢＳ（３００）が無線通信システム（２）に接続され、
−フェムトＲＢＳ（３００）によって行われたスキャニングによって取得された検出されたセルについての情報と、フェムトセル（２００Ａ）および／またはフェムトＲＢＳ（３００）を識別する情報とを受信するための受信手段（１１０，３１０）と、
−フェムトセル（２００Ａ）のための少なくとも一つのＳＡＩに対する要求をフェムトＳＡＩ選択エンティティ（２５０，４００）に送信するための送信手段（１２０，３２０）と、前記要求は前記受信された情報に基づくものであり、
−フェムトＳＡＩ選択エンティティ（２５０，４００）によって選択された少なくとも一つのＳＡＩと関連するユーザタイプとを受信するための受信手段（１１０，３１０）と生成されたフェムトセル（２００Ａ）のための前記少なくとも一つのＳＡＩと関連するユーザタイプとを割り当てるための手段と、
を備えることを特徴とする、装置。
【請求項１１】
前記送信手段（１２０，３２０）がフェムトセル（２００Ａ）のための少なくとも一つのＳＡＩに対する要求を送信する前に、フェムトセル（２００Ａ）を識別する情報に基づいた検出されたセルについての情報のフィルタリングを行うフィルタリング手段（１３０，３３０）をさらに備え、
前記フィルタリング手段（１３０，３３０）は、
検出されたセルについての情報に含まれる他のフェムトセルを識別する情報をフィルタアウトするように構成される、
請求項１０にしたがった装置（１００，３００）。
【請求項１２】
生成されたフェムトセル（２００Ａ）のためのセル設定コンテキストにおいて前記割り当てられた少なくとも一つのＳＡＩを記憶するための記憶手段（１４０，３４０）をさらに備える、
請求項１０または請求項１１にしたがった装置（１００，３００）。
【請求項１３】
受信手段（１１０，３１０）は、
前記少なくなくとも一つの選択されたＳＡＩと生成されたフェムトセル（２００Ａ）および／または生成されたフェムトセル（２００Ａ）のフェムトＲＢＳ（３００）を識別する情報とを受信するように構成された、
請求項１０〜１２のいずれか１つにしたがった装置（１００，３００）。
【請求項１４】
それぞれの選択されたＳＡＩは、
位置情報とチャージング情報とを示す、
請求項１０〜１３のいずれか１つにしたがった装置（１００，３００）。
【請求項１５】
前記位置情報は、
少なくとも一つの検出されたマクロセルのために、少なくともマクロセルのセル識別情報であるＣｅｌｌ−ＩＤとマクロセルに関連するロケーションエリア識別情報であるＬＡＩとマクロセルに関連するルーティングエリアコードであるＲＡＣとを備える検出されたセルについての情報に基づくものである、
請求項１４にしたがった装置（１００，３００）。
【請求項１６】
位置情報は、
フェムトＲＢＳによって検出された少なくとも一つのマクロセルを備える無線通信ネットワーク（２）のロケーションエリアを示すものである、
請求項１５にしたがった装置（１００，３００）。
【請求項１７】
位置情報は、
フェムトＲＢＳ（３００）によって検出された、無線通信ネットワーク（２）のマクロセルの一つを示すものである、
請求項１５にしたがった装置（１００，３００）。
【請求項１８】
前記チャージング情報は、
請求金額を備えるものであり、それぞれの金額は、生成されたフェムトセル（２００Ａ）におけるユーザタイプに関連するものである、
請求項１４にしたがった装置（１００，３００）。
【請求項１９】
フェムトＲＢＳ（２１０Ａ）によって提供されるフェムトセル（２００Ａ）のための少なくとも一つのサービスエリア識別情報であるＳＡＩを前記セルが生成されると選択するための選択エンティティ（４００）であって、前記フェムトＲＢＳ（２１０Ａ）は無線通信システム（２）に接続され、
−フェムトセル（２００Ａ）のための少なくとも一つのＳＡＩに対する要求を受信するように構成された受信手段（４１０）と、前記要求はフェムトセル（２００Ａ）および／またはフェムトＲＢＳ（２１０Ａ）を識別する情報とフェムトＲＢＳ（２１０Ａ）によって行われたスキャニングによって取得された検出されたセルについての情報に基づくものであり、
−生成されたフェムトセル（２００Ａ）のための少なくとも一つのＳＡＩと関連するユーザタイプとを選択するように構成された選択手段（４２０）と、
−前記少なくとも一つのＳＡＩと関連するユーザタイプとフェムトセル（２００Ａ）および／またはフェムトＲＢＳ（２１０Ａ）を識別する情報とを送信するように構成された送信手段（４３０）と、
を備えることを特徴とする、選択エンティティ（４００）。
【請求項２０】
それぞれの選択されたＳＡＩは、
位置情報とチャージング情報とを示す、
請求項１９にしたがった選択エンティティ（４００）。
【請求項２１】
前記位置情報は、
少なくとも一つの検出されたマクロセルのために、少なくともマクロセルのセル識別情報であるＣｅｌｌ−ＩＤとマクロセルに関連するロケーションエリア識別情報であるＬＡＩとマクロセルに関連するルーティングエリアコードであるＲＡＣとを備える検出されたセルについての情報に基づくものである、
請求項２０にしたがった選択エンティティ（４００）。
【請求項２２】
位置情報は、
フェムトＲＢＳ（２１０Ａ）によって検出された少なくとも一つのマクロセルを備える無線通信ネットワーク（２）のロケーションエリアを示すものである、
請求項２０にしたがった選択エンティティ（４００）。
【請求項２３】
位置情報は、
フェムトＲＢＳ（２１０Ａ）によって検出された、無線通信ネットワーク（２）のマクロセルの一つを示すものである、
請求項２０にしたがった選択エンティティ（４００）。
【請求項２４】
前記チャージング情報は、
請求金額を備えるものであり、それぞれの金額は、生成されたフェムトセル（２００Ａ）におけるユーザタイプに関連するものである、
請求項１９にしたがった選択エンティティ（４００）。
【国際調査報告】
2010520702.tif 000009
2010520702.tif 000010
2010520702.tif 000011
2010520702.tif 000012
2010520702.tif 000013